(57)【特許請求の範囲】
【請求項１】
デュアルアンテナ装置であって、
基板の表面に設けられた複数のパッチと前記基板の裏面に設けられた地板とを有し、電波の受信方向に直交する面内で開口面積が決定される受信アンテナと、
前記基板の表面に設けられかつ前記複数のパッチに接続された駆動素子と前記基板の裏面に設けられかつ前記地板に接続された反射板とを有し、電波の送信方向に沿う面内で開口面積が決定される送信アンテナと
を有し、前記複数のパッチ及び前記駆動素子は同一平面内に位置し、前記地板及び前記反射板も同一平面内に位置する、デュアルアンテナ装置。
【請求項２】
前記受信アンテナ及び前記送信アンテナは給電されていないパッシブなアンテナとして形成されており、
前記複数のパッチ及び前記駆動素子が線路で一列に結合され、前記受信アンテナで受信した高周波エネルギが線路を介して前記駆動素子に伝送される、請求項１に記載のデュアルアンテナ装置。
【請求項３】
前記送信アンテナが、１つ以上の導波器を有する八木宇田アレーアンテナを形成している、請求項１または２に記載のデュアルアンテナ装置。
【請求項４】
前記送信アンテナが、テーパースロットアンテナを形成している、請求項１または２に記載のデュアルアンテナ装置。
【請求項５】
前記駆動素子及び前記反射板が対称的な幾何学形状を有する、請求項１ないし４のいずれか１項に記載のデュアルアンテナ装置。
【請求項６】
前記送信アンテナが、プリントダイポールアンテナを形成している、請求項５に記載のデュアルアンテナ装置。
【請求項７】
受信方向から受信した電波を高周波エネルギに変換するパッシブな受信アンテナと、
前記高周波エネルギを、前記受信方向とは異なる送信方向に進行する電波に変換するパッシブな八木宇田アンテナと
を有し、前記受信アンテナは、基板の表面に設けられた複数のパッチと前記基板の裏面に設けられた地板とを有し、
前記八木宇田アンテナは、前記基板の表面に設けられかつ前記複数のパッチに接続された駆動素子と前記基板の裏面に設けられかつ前記地板に接続された反射板とを有し、
前記複数のパッチ及び前記駆動素子は同一平面内に位置し、前記地板及び前記反射板も同一平面内に位置する、デュアルアンテナ装置。
【請求項８】
前記駆動素子及び前記反射板が対称的な幾何学形状を有する、請求項７に記載のデュアルアンテナ装置。
【請求項９】
前記複数のパッチが前記基板の表面の或る部分に設けられ、前記駆動素子が前記基板の表面の別の部分に設けられている、請求項７または８に記載のデュアルアンテナ装置。
【請求項１０】
受信方向から受信した電波を高周波エネルギに変換するパッシブな受信アンテナと、
前記高周波エネルギを、前記受信方向とは異なる送信方向に進行する電波に変換するパッシブなテーパースロットアンテナと
を有し、前記受信アンテナは、基板の表面に設けられた複数のパッチと前記基板の裏面に設けられた地板とを有し、
前記テーパースロットアンテナは、前記基板の表面に設けられかつ前記複数のパッチに接続された第１の導電性素子と前記基板の裏面に設けられかつ前記地板に接続された第２の導電性素子とを有し、
前記複数のパッチ及び前記第１の導電性素子は同一平面内に位置し、前記地板及び前記第２の導電性素子も同一平面内に位置する、デュアルアンテナ装置。
【請求項１１】
前記第１及び第２の導電性素子が対称的な幾何学形状を有する、請求項１０に記載のデュアルアンテナ装置。
【請求項１２】
前記複数のパッチが前記基板の表面の或る部分に設けられ、前記第１の導電性素子が前記基板の表面の別の部分に設けられている、請求項１０または１１に記載のデュアルアンテナ装置。
【請求項１３】
前記受信方向と前記送信方向とが直交している、請求項１ないし１２の何れか１項に記載のデュアルアンテナ装置。
【請求項１４】
前記受信アンテナがシリーズ給電マイクロストリップアンテナを形成している、請求項１ないし１３の何れか１項に記載のデュアルアンテナ装置。
【発明の詳細な説明】
【技術分野】
【０００１】
本発明はデュアルアンテナ装置に関連する。
【背景技術】
【０００２】
無線通信システムにおいて、建物の屋上に設けられた基地局からの電波が他の建物等の障害物によって遮られてしまう場合がある。このような問題は都市部や狭い路地等において特に深刻化する。障害物によって電波が遮られてしまう領域は、ブラインドスポット(blind  spot)等と言及される。
【０００３】
こうした問題に対処する方法の1つは、RFブースタを使用することである。しかしながら、RFブースタは受信機、増幅器及び送信機等の装置を必要とすることに加えて、それらを動作させるための電源を供給する必要があるので、一般的には複雑で高価である。このため、RFブースタのような装置を様々な場所に簡易に多数設置することは困難である。
【０００４】
また、受信アンテナと送信アンテナを組み合わせたデュアルアンテナ装置を用いて、受信した電波を所望方向に向ける技術もある(この点については、非特許文献1、2)。そのデュアルアンテナ装置は、電源からの給電を受ける必要が無く、増幅器等も不要であるが、それでも複雑な配線パターンを伴う3次元構造を必要とする。
【０００５】
従って、ある方向から電波を受信し所望の方向に電波を送信する簡易なデュアルアンテナ装置が、当該技術分野において望まれている。
【発明の概要】
【発明が解決しようとする課題】
【０００６】
本発明の課題は、ある方向から電波を受信し所望の方向に電波を送信する簡易なデュアルアンテナ装置を提供することである。
【課題を解決するための手段】
【０００７】
本発明の実施形態によるデュアルアンテナ装置は、入射波に直交する面を開口面積とするアンテナを受信アンテナとし、送信方向である反射方向に平行な面を開口面積とするアンテナを送信アンテナとし、該送信アンテナと該受信アンテナの構造の一部を共有することを特徴とするデュアルアンテナ装置である。
【発明の効果】
【０００８】
本発明の実施形態によれば、ある方向から電波を受信し所望の方向に電波を送信する簡易なデュアルアンテナ装置を提供することができる。
【図面の簡単な説明】
【０００９】
【図１】本発明の実施形態によるデュアルアンテナ装置が使用されている通信環境の一例を示す図。
【図２】デュアルアンテナ装置の平面図。
【図３】デュアルアンテナ装置の基本構造を示す図。
【図４】受信アンテナ単独の動作特性を示す図。
【図５】送信アンテナの詳細を示す図。
【図６】送信アンテナ単独の動作特性を示す図。
【図７】リターンロスの周波数依存性を示す図。
【図８】デュアルアンテナ装置の動作特性を示す図。
【図９】代替的な送信アンテナを使用したデュアルアンテナ装置の基本構造を示す図。
【発明を実施するための形態】
【００１０】
以下、添付図面を参照しながら以下の観点から実施形態を説明する。図中、同様な要素には同じ参照番号又は参照符号が付されている。
【００１１】
1．概要
2．構造
2.1  受信アンテナ
2.2  送信アンテナ
2.3  デュアルアンテナ装置
3．変形例
3.1  電波の方向
3.2  受信/送信アンテナの種類
＜1．概要＞
図1は本発明の実施形態によるデュアルアンテナ装置が使用されている通信環境の一例を示す。この通信環境には、建物1、建物2及び建物3が存在し、建物1の屋上に基地局のアンテナが設けられている。建物1及び建物2の間の領域にいるユーザは、基地局からの電波を、充分な品質と共に受信できる。しかしながら、建物2及び建物3の間の領域にいるユーザは、基地局からの電波を、充分な品質で受信することができない。このため、適切な処置が施されない限り、この領域はブラインドスポットとなってしまう。
【００１２】
ブラインドスポットが生じないようにするため、建物3の屋上には本実施形態によるデュアルアンテナ装置が設けられている。デュアルアンテナ装置の詳細については後述するが、概して、デュアルアンテナ装置は基地局からの電波を受信アンテナで受信し、それを送信アンテナで送信し、建物2及び建物3の間のユーザに電波が適切に届くようにする。本実施形態によるデュアルアンテナ装置は、従来技術とは異なり、3次元的な複雑な配線パターン等を必要とせず、簡易で量産に適した平面構造を有し、設計の簡易化等を図ることができる。
【００１３】
＜2．構造＞
以下、具体的な数値例と共にデュアルアンテナ装置の構造を説明するが、それらの数値は単なる一例に過ぎず、必要に応じて他の数値が使用されてもよい。
【００１４】
図2は図1に示されているようなデュアルアンテナ装置の平面図を示す。デュアルアンテナ装置は、破線で囲まれているx軸方向に伸びる基本構造をy軸方向に4つ含んでいるが、より一般的には1つ以上の基本構造を含むことができる。図示のデュアルアンテナ装置は概して上位層と下位層とそれらの間に介在する基板層とを有する。下位層は地板、接地プレート又はグランドとして機能する部分を少なくとも含む。上位層は所定のパターン形状又は幾何学的形状に加工された導電層を有する。基板層は0.8mmの厚さを有し、2.2である比誘電率を有する。下位層、基板層及び上位層はその順番でz軸方向に積層されているので、デュアルアンテナ装置を上から見た場合、下位層は実際には見えないが、説委の便宜上、図2では上位層及び下位層が重ねて図示されている。
【００１５】
概して、デュアルアンテナ装置は、z軸+∞方向から到来する2GHzの電波を受信し、それをx軸+方向に送信する。一例として、図示の4つの基本構造を含むデュアルアンテナ装置は、x軸方向に589mmの長さLを有し、y軸方向に471.6mmの幅wを有する。なお、電波の周波数が2GHzであることは本発明に必須ではなく、本発明は例えば11GHzのような他の周波数の電波にも使用可能であり、電波の周波数は任意である。
【００１６】
図3は図2における基本構造の詳細を示す。図3は、上から順に、平面図、側面図、上位層の平面図、基板層の平面図及び下位層の平面図を示す。基本構造は、概して、受信アンテナとして機能する部分と送信アンテナとして機能する部分とを有する。受信及び送信アンテナは平面アンテナとして形成され、一例としてマイクロストリップアンテナとして形成されている。なお、図示の基本構造を構成する受信アンテナ及び送信アンテナの双方が下位層、基板層及び上位層の3層構造を有することは必須でない。特に、図示の送信アンテナにおける基板層の全部又は一部が存在していなくてもよい。
【００１７】
＜2.1  受信アンテナ＞
受信アンテナは、入射波に直交する面を開口面積とする給電されていないパッシブなアンテナであり、z軸+∞方向から受信した電波を高周波エネルギに変換し、その高周波エネルギを送信アンテナに提供する。受信アンテナはx軸方向に沿って一列に接続された4つのパッチP1‐P4を有し、それら4つのパッチP1‐P4は基板層上に設けられ、その基板層は地板上に設けられている。図示の簡明化のため、パッチが4つ使用されているが、使用されるパッチ数は用途に応じて適宜変更可能である。個々のパッチのパッチ長さlm及びパッチ幅wmはそれぞれ49.50mm及び58.95mmである。隣接するパッチを接続する線路の線路長lf及び線路幅wfはそれぞれ50.20mm及び1.3mmである。受信アンテナのx軸方向の長さ及びy軸方向の幅はそれぞれ424.9mm及び117.9mmである。なお、マイクロストリップアンテナにおいて、複数のパッチを直列に接続することについては、非特許文献3に記載されている。
【００１８】
図3に示す4つのパッチP1‐P4は一列に(直列に)整列しているので、パッチ同士を同一平面上で接続する線路の長さの合計は最小になる。仮に4つのパッチが並列的に送信アンテナに接続される場合、パッチと送信アンテナを接続する長い線路が4本必要になってしまう。本実施形態の場合、パッチ同士を接続する線路長の合計が最小化されているので、線路から漏洩してしまう電力も最小化することができる。上記の数値例において、パッチの長さlm及び接続線路長(又は間隔)lfは約5cmであり、2GHzの電波の半波長(7.5cm)に匹敵する長さを有する。これは、パッチ同士が相互カップリングを回避できるようにパッチ間の分離度を充分に確保しつつ、帯域幅を拡大すること及び放射サイドローブを抑制すること等の観点から好ましい。基板の厚み及び誘電率はストリップラインの特性インピーダンスを決定し、そのインピーダンスに合致するように線路幅等のパラメータが選択されている。
【００１９】
図4に示されている動作特性は、図3に示すような受信アンテナの部分が仮に単独に存在した場合に示すことになる動作特性である。図4は、xoz平面及びyoz平面における方向に対する受信アンテナのゲインを示す。z軸+∞方向は電波が到来して来る方向であり、x軸は複数のパッチが整列している方向であり、かつ電波を送信する方向である。図示されているように、電波の到来方向(0度方向)に大きなゲインが示されており、ゲインは最大で13.2dBに及んでいる。
【００２０】
＜2.2  送信アンテナ＞
送信アンテナは、送信方向である反射方向に平行な面を開口面積とする給電されていないパッシブなアンテナであり、受信アンテナが受信した電波に基づいて変換した高周波エネルギを、所望方向に進行する電波に変換する。
【００２１】
図3に示されている送信アンテナは、八木宇田アンテナを形成している。送信アンテナは、上位層において受信アンテナのパッチP4に接続された線路YG11と、下位層に設けられた3つの線路YG12、YG2、YG3を有する。
【００２２】
図5は送信アンテナの部分の詳細を示す。金属片YG11は受信アンテナのパッチP4に同一平面上で接続され、YG12は下位層にある受信アンテナの地板と接続されており、YG11とYG12をあわせてプリントダイポールを形成し、八木宇田アンテナの駆動素子(driven  element)として機能する。YG11はx軸方向に沿う線路部分とy軸方向に沿う金属片の部分とを有する。Y軸に沿う金属片はアンテナ素子として働く。x軸方向に沿う線路部分はx軸+方向に向かって徐々に線幅が広がっており、図示の例ではsw1=1.3mmの線幅からsw2=2.86mmの線幅に広がっている。y軸方向に沿う部分は同じ線幅dw1=5.5mmを有する。金属片YG12は地板と同一平面上で接続され、上位層の地板YG11と対称的な幾何学形状を有しており、YG11とあわせてプリントダイポールを形成している。
YG12もx軸方向に沿う線路部分とy軸方向に沿う金属片（アンテナ素子）部分とを有する。x軸方向に沿う線路部分はsw2=2.86mmの線幅を有し、曲率半径がsl1=17.2mmである円弧に沿って地板に接続されている。y軸方向に沿う部分は同じ線幅dw1=5.5mmを有する。線路YG11及びYG12それぞれのy軸方向に沿う部分は共に地板の端面から距離l2=33mmの場所にある。
【００２３】
YG2及びYG3は共に下位層に形成され、八木宇田アンテナの無給電素子又は導波素子(director)として機能する。本実施例では、図示の導波素子YG2及びYG3は地板及び線路YG12と同一平面上に設けられている。ただし、導波素子は、上位層に配置されていてもよい。導波素子YG2はYG11から距離l3=34.25mmの場所にあり、線路長dl2及び線路幅dw2はそれぞれ55mm及び4mmである。導波素子YG3はYG2から距離l4=33mmの場所にあり、線路長dl3及び線路幅dw3はそれぞれ55mm及び4mmである。なお、2つの線路YG2及びYG3が八木宇田アンテナの導波素子として使用されているが、導波素子として使用される線路の数は任意である。本実施例において、送信アンテナとして動作する八木宇田アンテナは、受信アンテナの地板を反射素子とし、上述の、YG11とYG12で構成される駆動素子と、YG2,YG3で構成される導波素子と、によって構成されている。すなわち、本実施例おいては、送信アンテナとして働く八木宇田アンテナの反射素子と、受信アンテナとして働く、シリーズ給電マイクロストリップアンテナの地板が共有して用いられている。
【００２４】
図6に示されている動作特性は、図5に示すような送信アンテナの部分が仮に単独に存在した場合に示すことになる動作特性である。図6は、xoz平面及びyoz平面における方向に対する送信アンテナのゲインを示す。z軸+∞方向は電波が到来して来る方向であり、x軸は電波を送信する方向である。図示されているように、xoz面内においては所望方向(x軸+方向)に大きなゲイン(8.3dB以上)が得られている。
【００２５】
図7は上記の数値例と共に形成された八木宇田アンテナ(図3、図5)に対するリターンロスの周波数依存性を示す。図示されているように、使用される電波の周波数である2GHz付近において、損失が非常に少なくなっていることが分かる。なお、図示の例では使用される電波の周波数が2GHzであるが、このことは本発明に必須ではなく、本発明は例えば11GHzのような任意の周波数の電波に使用できる。
【００２６】
＜2.3  デュアルアンテナ装置＞
上記の受信アンテナ及び送信アンテナを同一平面上で結合することで、デュアルアンテナ装置の基本構造が得られる。基本構造を1つ以上配置することで、所望の強度で電波を受信し、反射するデュアルアンテナ装置が得られる(図2)。たとえば、図２の実施例においては、基本構造を４つ配置しており、４×４の（シリーズ給電）マイクロストリップアレーを受信アンテナとして構成するとともに、4素子（反射器１、駆動素子１、導波器２）八木宇田アレーの4個のアレーで送信アンテナを構成している。アレー配列によって、それぞれ開口面積を大きくできており散乱断面積の値を大きくできることがわかる。
受信アンテナの個々のパッチP1‐P4が受信した電波は、高周波エネルギに変換され、その高周波エネルギはパッチ間を接続する線路を通じて送信アンテナに伝送される。その高周波エネルギは、送信アンテナにより、所望方向に進行する電波に変換される。この場合において、受信アンテナのパッチと、送信アンテナの駆動素子と、それらの間を結ぶ線路とが同一平面上にあることに留意を要する。これにより、デュアルアンテナ装置を簡易に設計及び製造することができるようになる。
【００２７】
図8は本実施形態によるデュアルアンテナ装置(Dual  Antenna  System：DAS)のxoz面内における動作特性を示す。図8において実線がDASの結果を示している。デュアルアンテナ装置は受信アンテナと送信アンテナとを含むが、図8の動作特性は、受信アンテナ単独の動作特性(図4)と送信アンテナ単独の動作特性(図6)とを単に重ね合わせたものではない点に留意を要する。z軸+∞方向は電波が到来して来る方向であり、x軸は電波を送信する方向である。比較のため、同じ大きさの金属板に対する特性も破線で示されている。金属板の場合、入射方向（0度）に対する鏡面反射方向（0度）及び入射方向と同じの180度（バックローブ方向）に大きな利得が得られ、所望方向である90度においては0に近い利得しか得られていない。これに対して本実施形態によるデュアルアンテナ装置(DAS)の場合、前方散乱(0度方向への反射)は金属板の場合よりも10dB以上抑制されており、これはデュアルアンテナ装置の開口効率が極めて良いことを示す。更に、x軸プラス方向ではθ=60度において‐5.8dBsmという最大ゲインを示し、60度ないし120度の広い角度範囲にわたって‐6.3dBsmないし‐5.8dBsmという安定した高いゲインが得られている。従って本実施形態によれば、入射波を垂直方向に強く反射することができ、このような作用効果は従来の反射板やマイクロストリップリフレクトアレーのような平面タイプの構造では達成できていない。従来のマイクロストリップアレーのような平面タイプの構造の場合は、入射波と反射波に直交する面が、アンテナの開口面積となって直接利得に影響する。したがって、このような平面パッチタイプの素子を用いてリフレクトアレーを構成する場合、本実施例のように、平面に直交する方向に高い利得で放射させることは、不可能であった。すなわち、平面に直交する方向に面積を大きくとることはできなかった。これに対して、本発明（本実施例）では、受信する平面アレーと同じ面に八木宇田アレーを構成している。八木宇田アレーは、放射方向と同じ方向に素子を並べることが高い利得が得られる。すなわち、本実施例のように送信方向に直交するアンテナの面積が少なくても、アレー長を長くとれるため（基板の厚さ×Y方向の長さ＝面積）十分大きな開口面積を確保できる。すなわち、シリーズ給電マイクロストリップと八木宇田アンテナを組み合わせることではじめて、平面構造でありながら90度方向に高い利得を向けるリフレクトアレーが実現できたのである。
【００２８】
本実施形態のような簡易かつ安価なデュアルアンテナ装置の基本構造をy軸方向に必要な数だけ設けることで、x軸方向に送信する電波の放射特性を改善することができる。或いはデュアルアンテナ装置におけるパッチ数を増やすことで、x軸方向に送信する電波の放射特性を改善することもできる。本実施形態によれば、複数のパッチが一列に接続されている受信アンテナと八木宇田アンテナとを同一平面上で結合させた簡易な構造と共に、それらのアンテナの放射特性を活用することで、z軸に沿って入射した電波をx軸方向に効率的に反射させることができる。
【００２９】
＜3．変形例＞
＜＜3.1  電波の方向＞＞
上記の説明においては、電波がz軸+∞方向の入射方向から到来し、送信する電波(反射波又は散乱波)はx軸+方向(所望方向)に進行していた。この場合において、入射方向と所望方向とは必ずしも90度の角度をなさなくてもよい。例えば、図8に示されているように、+60度ないし+120度の範囲内で比較的高い利得が得られているので、所望方向はx=y=0の方向(θ=90度)に厳密に一致していなくてもよい。すなわち、所望方向の角度θは、90度からずれた値であってもよい。或いは、受信アンテナに送信アンテナを結合する際に、送信アンテナの伸びる方向がz軸に対して垂直でない角度をなすように、送信アンテナが受信アンテナに結合されてもよい。また、受信アンテナにおいて、4つのパッチP1‐P4の整列方向が、厳密にx軸に沿っていなくてもよい。例えば、パッチの整列方向が、x軸に対して0度でない角度をなしていてもよい。
【００３０】
＜＜4.2  受信/送信アンテナの種類＞＞
上記の実施形態において、受信アンテナは、複数のパッチが一列に接続されている構造を有していたが、本発明は上記の具体例に限定されない。電波を受信し、それを高周波エネルギに変換し、送信アンテナに与えることが可能な適切な如何なるアンテナも使用可能である。ただし、受信した電波を効率的に送信アンテナに提供できるようにする等の観点からは、半波長程度のパッチが同一平面上で複数個直列に接続されている構造であることが好ましい。
【００３１】
送信アンテナは、八木宇田アンテナに限定されず、高周波エネルギを所望方向に送信することが可能な適切な如何なるアンテナも使用可能である。
特に、本発明は、受信方向（入射方向）に直交する向きに面積を増やすことで利得を大きくできる受信アンテナ１（たとえばマイクロストリップアレー）とし、送信方向（反射方向）と平行な向きに素子（面積）をふやすことで利得を大きくできる送信アンテナ２（たとえば八木宇田アンテナ）とすることができれば、アンテナの構成はいかなる形状でも、90度方向に大きな利得で送信できるという効果を発揮できる。
さらに本発明は、受信アンテナ１の地板と送信アンテナ２の反射器（反射板）を共有し、かつ、受信アンテナ１の各素子と、送信アンテナ２の駆動素子を線路で結合する機能があればいかなる素子を用いても効果を発揮できる。
【００３２】
図9は、八木宇田アンテナの代わりにテーパースロットアンテナを送信アンテナに使用したデュアルアンテナ装置を示す。受信アンテナの部分については、図3及び図4を参照しながら説明したものと同じである。図9に示す例の場合、送信アンテナは、上位層において受信アンテナのパッチP4に同一平面上で接続された導電性素子TS1と、下位層において地板に同一平面上で接続された導電性素子TS2とを有し、導電性素子TS1及びTS2の間には基板層が介在している。上位層の導電性素子TS1及び下位層の導電性素子TS2は、x軸に平行な直線(パッチ間を結ぶ線路を含む直線)に関して互いに対称的な幾何学形状を有する。図9に示す形状は、テーパースロットアンテナのための形状の一例であり、他のテーパースロット形状が使用されてもよい。本変形例によれば、複数のパッチが一列に接続されている受信アンテナとテーパースロットアンテナとを同一平面上で結合させた簡易な構造と共に、それらのアンテナの放射特性を活用することで、z軸に沿って入射した電波をx軸方向に効率的に反射させることができる。
【００３３】
このように送信アンテナは、高周波エネルギを所望方向に送信することが可能な適切な如何なるアンテナでもよい。ただし、入射波をほぼ垂直方向に向けるデュアルアンテナ装置を簡易かつ小型にする等の観点からは、複数のパッチが一列に接続されている受信アンテナと八木宇田アンテナ又はテーパースロットアンテナとを同一平面上で結合することが好ましい。
【００３４】
また、上記の構成は送信アンテナと受信アンテナが入れ替わってもかまわない。すなわち、八木宇田アンテナで受信した電波を、シリーズ給電マイクロストリップアンテナで送信することができる。
【００３５】
以上本発明は特定の実施例を参照しながら説明されてきたが、それらは単なる例示に過ぎず、当業者は様々な変形例、修正例、代替例、置換例等を理解することができる。例えば、本発明は或る方向から電波を受信して別の方向へ電波を放射し直す適切な如何なる装置に適用されてもよい。発明の理解を促すため具体的な数値例を用いて説明がなされたが、特に断りのない限り、それらの数値は単なる一例に過ぎず適切な如何なる値が使用されてもよい。発明の理解を促すため具体的な数式を用いて説明がなされたが、特に断りのない限り、それらの数式は単なる一例に過ぎず適切な如何なる数式が使用されてもよい。実施例又は項目の区分けは本発明に本質的ではなく、2以上の実施例又は項目に記載された事項が必要に応じて組み合わせて使用されてよいし、ある項目に記載された事項が、別の項目に記載された事項に（矛盾しない限り）適用されてよい。本発明は上記実施例に限定されず、本発明の精神から逸脱することなく、様々な変形例、修正例、代替例、置換例等が本発明に包含される。
【符号の説明】
【００３６】
DAS  デュアルアンテナ装置
1、2、3  建物又は障害物
【先行技術文献】
【非特許文献】
【００３７】
【非特許文献１】Lin  Wang,  at  al.,  “Experimental  Investigation  of  MIMO  Performance  Using  Passive  Repeater  in  Multipath  Environment”,  IEEE  ANTENNAS  AND  WIRELESS  PROPAGATION  LETTERS,  VOL.10,  2011,  PP.752‐755
【非特許文献２】Shi‐Wei  Qu,  et  al.,  Progress  In  Electromagnetics  Research  C,  Vol.21,  87‐97,  2011
【非特許文献３】Jones,  et  al.,  “The  Synthesis  of  Shaped  Patterns  with  Series‐Fed  Microstrip  Patch  Array”,  IEEE  TRANSACTIONS  ON  ANTENNAS  AND  PROPAGATION,  VOL.  AP‐30,  NO.6,  NOVEMBER  1982,  PP.1206‐1212
【図１】
0005463577.tif 000002
【図２】
0005463577.tif 000003
【図３】
0005463577.tif 000004
【図４】
0005463577.tif 000005
【図５】
0005463577.tif 000006
【図６】
0005463577.tif 000007
【図７】
0005463577.tif 000008
【図８】
0005463577.tif 000009
【図９】
0005463577.tif 000010